(57)【要約】【課題】刈取装置の前部フレームの組み換えを容易化するとともに、この前部フレームの支持剛性を高めたコンバインの刈取り装置を提供する。【解決手段】本発明の課題は、後部フレーム（２８）の前端部と前部フレーム（３０）の後端部には、左右方向の端面（６７Ａ，６７Ｂ）が夫々形成され、前部フレーム（３０）の後側上部には、下向きに開放された断面形状を有する係合部（６５）が形成され、前部フレーム（３０）の後端部に形成された端面（６７Ｂ）と、後部フレーム（２８）の前端部に形成された端面（６７Ａ）とが当接し、かつ、係合部（６５）が後部フレーム（２８）の前側上部に上方から嵌め合わされた状態で、前部フレーム（３０）と後部フレーム（２８）が連結されることにより解決される。【選択図】図６
2015107076.tif 000002
【特許請求の範囲】
【請求項１】
脱穀装置（３）の前側に設けられ、穀稈を分草する分草体（２９）と、穀稈を掻き込むリール（１２）と、穀稈を刈り取る刈刃（１３）と、刈り取った穀稈を搬送するオーガー（８）を備えたコンバインの刈取装置において、
左右の第１側板（６）と、該左右の第１側板（６）の後部を連結する後板（１０）と、前記左右の第１側板（６）の下部と後板（１０）の下部を連結する第１底板（９）を有し、前記オーガー（８）を内装したバケット状の後部フレーム（２８）と、
該後部フレーム（２８）の前端部に連結される前部フレーム（３０）を備え、
前記後部フレーム（２８）の前端部と前部フレーム（３０）の後端部には、左右方向の端面（６７Ａ，６７Ｂ）が夫々形成され、前記前部フレーム（３０）の後側上部には、下向きに開放された断面形状を有する係合部（６５）が形成され、
該前部フレーム（３０）の後端部に形成された端面（６７Ｂ）と、前記後部フレーム（２８）の前端部に形成された端面（６７Ａ）とが当接し、かつ、前記係合部（６５）が前記後部フレーム（２８）の前側上部に上方から嵌め合わされた状態で、前部フレーム（３０）と後部フレーム（２８）が連結されることを特徴とする
コンバインの刈取装置。
【請求項２】
前記前部フレーム（３０）として、
前記分草体（２９）を側板の前部に備えた第１ユニット（３１）と、
前記第１底板（９）の前側に連続する第２底板（９Ａ）を備え、該第２底板（９Ａ）の左右両側端部に第２側板（６Ａ）の下部を連結し、該第２側板（６Ａ）の前部に分草体（２９）を取り付けて構成した第２ユニット（３２）を設け、
前記第１ユニット（３１）を前記後部フレーム（２８）の前部に連結すると共に、前記刈刃（１３）を第１底板（９）の前端部に取り付けた状態と、
前記第２ユニット（３１）を前記後部フレーム（２８）の前部に連結すると共に、前記刈刃（１３）を第２底板（９Ａ）の前端部に取り付けた状態とに組み替える構成とした
請求項１記載のコンバインの刈取装置。
【請求項３】
前記後部フレーム（２８）は、エンジンの駆動力が伝達される伝動部（２７）を備え、
前記第１ユニット（３１）を前記後部フレーム（２８）の前部に連結すると共に、前記刈刃（１３）を第１底板（９）の前端部に取り付けた状態と、
前記第２ユニット（３１）を前記後部フレーム（２８）の前部に連結すると共に、前記刈刃（１３）を第２底板（９Ａ）の前端部に取り付けた状態とに組み替えるときに、
軸心方向の長さが夫々異なる２つの伝動軸（２６）が、択一的に前記伝動部（２７）と刈刃（１３）の間に装着される
請求項２記載のコンバインの刈取装置。
【請求項４】
前記第２ユニット（３２）の左右方向での側部に、刈取対象穀稈と非刈取対象穀稈とを切断して分離する分草用切断装置（３５）を備えた
請求項２または請求項３記載のコンバインの刈取装置。
【請求項５】
前記分草用切断装置（３５）の下部が前記第２側板（６Ａ）に連結されるとともに、分草用切断装置（３５）の上部が、支持フレーム（４１）によって前記第１側板（６）に連結された請求項４記載のコンバインの刈取装置。
【請求項６】
前記分草用切断装置（３５）にエンジンの動力を伝達する伝動軸（２６）が、前記第１側板（６）と前記支持フレーム（４１）の間を通って前後方向に延伸している
請求項５記載のコンバインの刈取装置。
【請求項７】
前記刈刃（１３）は、前部フレーム（３０）又は後部フレーム（２８）の側部に形成される開口部（７２Ａ）から、前記第１側板（６）よりも外側に突出する位置まで摺動する構成とし、この第１側板（６）よりも外側の位置まで突出した刈刃（１３）によって非刈取対象穀稈が切断されることを防止する刈刃ガード（７２）を備えた
請求項１から３のいずれか一項に記載のコンバインの刈取装置。
【発明の詳細な説明】
【技術分野】
【０００１】
本発明は、コンバインの刈取装置に係るものである。
【背景技術】
【０００２】
従来、リールと刈刃とオーガーを有するテーブルの前側部分を、刈刃の位置を前後に変えた第１ユニットと第２ユニットとに交換自在な構成とし、刈刃の側部に分草用切断装置を設けた構成は、公知である（特許文献１）。
【先行技術文献】
【特許文献】
【０００３】
【特許文献１】特開２０１１−１７７０８２号公報
【発明の概要】
【発明が解決しようとする課題】
【０００４】
前記公知例では、後テーブル部の側板と前テーブル部の側板とを左右に重ね合わせて横軸（横ボルト）により固定する構成であるので、前テーブル部を支持した状態でボルトと締めを行わなければならず、着脱交換作業が容易でないという課題がある。
【０００５】
また、後テーブル部の側板の端縁と前テーブル部の側板の端縁との間に、製造誤差を吸収するための隙間を要し、前後方向の荷重の支持剛性が低いという課題がある。
本願は、第１ユニットと第２ユニットとの交換作業を容易にし、取付強度の向上を図ったものである。
【課題を解決するための手段】
【０００６】
本発明の課題を解決した発明は次記の通りである。
請求項１に記載の発明は、脱穀装置（３）の前側に設けられ、穀稈を分草する分草体（２９）と、穀稈を掻き込むリール（１２）と、穀稈を刈り取る刈刃（１３）と、刈り取った穀稈を搬送するオーガー（８）を備えたコンバインの刈取装置において、左右の第１側板（６）と、該左右の第１側板（６）の後部を連結する後板（１０）と、前記左右の第１側板（６）の下部と後板（１０）の下部を連結する第１底板（９）を有し、前記オーガー（８）を内装したバケット状の後部フレーム（２８）と、該後部フレーム（２８）の前端部に連結される前部フレーム（３０）を備え、前記後部フレーム（２８）の前端部と前部フレーム（３０）の後端部には、左右方向の端面（６７Ａ，６７Ｂ）が夫々形成され、前記前部フレーム（３０）の後側上部には、下向きに開放された断面形状を有する係合部（６５）が形成され、該前部フレーム（３０）の後端部に形成された端面（６７Ｂ）と、前記後部フレーム（２８）の前端部に形成された端面（６７Ａ）とが当接し、かつ、前記係合部（６５）が前記後部フレーム（２８）の前側上部に上方から嵌め合わされた状態で、前部フレーム（３０）と後部フレーム（２８）が連結されることを特徴とする
コンバインの刈取装置である。
【０００７】
請求項２に記載の発明は、前記前部フレーム（３０）として、前記分草体（２９）を側板の前部に備えた第１ユニット（３１）と、前記第１底板（９）の前側に連続する第２底板（９Ａ）を備え、該第２底板（９Ａ）の左右両側端部に第２側板（６Ａ）の下部を連結し、該第２側板（６Ａ）の前部に分草体（２９）を取り付けて構成した第２ユニット（３２）を設け、前記第１ユニット（３１）を前記後部フレーム（２８）の前部に連結すると共に、前記刈刃（１３）を第１底板（９）の前端部に取り付けた状態と、前記第２ユニット（３１）を前記後部フレーム（２８）の前部に連結すると共に、前記刈刃（１３）を第２底板（９Ａ）の前端部に取り付けた状態とに組み替える構成とした請求項１記載のコンバインの刈取装置である。
【０００８】
請求項３に記載の発明は、前記後部フレーム（２８）は、エンジンの駆動力が伝達される伝動部（２７）を備え、前記第１ユニット（３１）を前記後部フレーム（２８）の前部に連結すると共に、前記刈刃（１３）を第１底板（９）の前端部に取り付けた状態と、前記第２ユニット（３１）を前記後部フレーム（２８）の前部に連結すると共に、前記刈刃（１３）を第２底板（９Ａ）の前端部に取り付けた状態とに組み替えるときに、軸心方向の長さが夫々異なる２つの伝動軸（２６）が、択一的に前記伝動部（２７）と刈刃（１３）の間に装着される請求項２記載のコンバインの刈取装置である。
【０００９】
請求項４に記載の発明は、前記第２ユニット（３２）の左右方向での側部に、刈取対象穀稈と非刈取対象穀稈とを切断して分離する分草用切断装置（３５）を備えた請求項２または請求項３記載のコンバインの刈取装置である。
【００１０】
請求項５に記載の発明は、前記分草用切断装置（３５）の下部が前記第２側板（６Ａ）に連結されるとともに、分草用切断装置（３５）の上部が、支持フレーム（４１）によって前記第１側板（６）に連結された請求項４記載のコンバインの刈取装置である。
【００１１】
請求項６に記載の発明は、前記分草用切断装置（３５）にエンジンの動力を伝達する伝動軸（２６）が、前記第１側板（６）と前記支持フレーム（４１）の間を通って前後方向に延伸している請求項５記載のコンバインの刈取装置である。
【００１２】
請求項７に記載の発明は、前記刈刃（１３）は、前部フレーム（３０）又は後部フレーム（２８）の側部に形成される開口部（７２Ａ）から、前記第１側板（６）よりも外側に突出する位置まで摺動する構成とし、この第１側板（６）よりも外側の位置まで突出した刈刃（１３）によって非刈取対象穀稈が切断されることを防止する刈刃ガード（７２）を備えた請求項１から３のいずれか一項に記載のコンバインの刈取装置である。
【発明の効果】
【００１３】
請求項１記載の発明によれば、前部フレーム（３０）の後端部に形成された端面（６７Ｂ）と、後部フレーム（２８）の前端部に形成された端面（６７Ａ）とが当接し、かつ、係合部（６５）が前記後部フレーム（２８）の前側上部に上方から嵌め合わされた状態で、前部フレーム（３０）と後部フレーム（２８）が連結されるので、前部フレーム（３０）を後部フレーム（２８）に連結する作業を容易化できる。また、前部フレーム（３０）と後部フレーム（２８）を隙間無く取り付けて、取り付け強度を高めることができる。
【００１４】
請求項２記載の発明によれば、上記請求項１記載の発明による効果に加え、前部フレーム（３０）として第１ユニット（３１）を装着した場合には、リール（１２）で掻き込んだ穀稈を刈刃（１３）により切断することで、切断姿勢を良好となって刈刃（１３）の切断効率が向上し、前部フレーム（３０）として第２ユニット（３２）を装着した場合には、第２底板（９Ａ）の長さの分、前方に位置する刈刃（１３）が穀稈の株元を切断し、この切断された穀稈をリール（１２）が掻き込むので、リール（１２）がオーガー（８）へむかって穀稈を掻き込む際の抵抗が小さくなり、刈取作業が円滑になる。
【００１５】
請求項３記載の発明によれば、上記請求項２記載の発明による効果に加え、第１ユニット（３１）を前記後部フレーム（２８）の前部に連結すると共に、刈刃（１３）を第１底板（９）の前端部に取り付けた状態と、第２ユニット（３１）を後部フレーム（２８）の前部に連結すると共に、刈刃（１３）を第２底板（９Ａ）の前端部に取り付けた状態とに組み替えるときに、軸心方向の長さが夫々異なる２つの伝動軸（２６）が、択一的に伝動部（２７）と刈刃（１３）の間に装着されるので、第１ユニット（３１）と第２ユニット（３２）の組み換え作業を容易に行うことができる。
【００１６】
請求項４記載の発明によれば、請求項２または請求項３記載の発明による効果に加え、第２ユニット（３２）の左右方向での側部に、刈取対象穀稈と非刈取対象穀稈とを切断して分離する分草用切断装置（３５）を備えているので、穀稈を効率的に分草することができ、リール（１２）の掻き込み抵抗を更に小さくすることができる。
【００１７】
請求項５記載の発明によれば、上記請求項４記載の発明による効果に加え、分草用切断装置（３５）の下部が第２側板（６Ａ）に連結されるとともに、分草用切断装置（３５）の上部が、支持フレーム（４１）によって第１側板（６）に連結されているので、分草用切断装置（３５）を強固に支持し、刈取対象穀稈と非刈取対象穀稈の分離を確実に行うことができる。
【００１８】
請求項６記載の発明によれば、上記請求項５記載の発明による効果に加え、分草用切断装置（３５）にエンジンの動力を伝達する伝動軸（２６）が、第１側板（６）と前記支持フレーム（４１）の間を通って前後方向に延伸しているので、機外の障害物と伝動軸（２６）が接触や破損を防止することができる。
【００１９】
請求項７記載の発明によれば、上記請求項１から３のいずれか一項に記載の発明による効果に加え、刈刃（１３）が開口部（７２Ａ）から第１側板（６）よりも外側に突出する位置まで摺動する構成とし、この側板（６）よりも外側の位置まで突出した刈刃（１３）によって非刈取対象穀稈が切断されることを防止する刈刃ガード（７２）を備えているので、左右の分草体（２９）の間に導入された刈取対象穀稈を確実に切断することができ、また、非刈取対象穀稈が切断されることを防止できる。
【図面の簡単な説明】
【００２０】
【図１】コンバインの側面図。
【図２】第１ユニットとなる前テーブル部の側面図。
【図３】同平面図。
【図４】後テーブル部の側面図。
【図５】同一部の正面図。
【図６】第２ユニットを取付けた刈取装置の側面図。
【図７】同一部の正面図。
【図８】第２ユニットとなる前テーブル部の側面図。
【図９】同平面図。
【図１０】伝動機構の概略図。
【図１１】伝動軸の側面および平面図。
【図１２】伝動軸の他の実施例の側面および平面図。
【図１３】伝動軸の他の実施例の側面および平面図。
【図１４】伝動軸の他の実施例の側面および平面図。
【図１５】分草用切断装置の他の実施例の一部省略正面図。
【図１６】第２ユニットを取付けた刈取装置の側面図。
【図１７】分草用切断装置の他の実施例の一部省略正面図。
【図１８】分草用切断装置の他の実施例の一部省略正面図。
【図１９】刈刃ガードを設けた第１ユニットの側面図。
【図２０】刈刃ガードを設けた第２ユニットの側面図。
【図２１】掻込リールのリールタインの正面図および側面図。
【発明を実施するための形態】
【００２１】
本発明の一実施例を図面により説明すると、１は機体フレーム、２は機体フレーム１の下部に設けた走行装置、３は機体フレーム１上に設けた脱穀装置、４は刈取装置、５はグレンタンク、７は脱穀装置３の前方の一側に設けた操縦部である。
【００２２】
刈取装置４は、左右の側板（請求項における「第１側板」）６と、後述するオーガー８の下方に位置する底板（請求項における「第１底板」）９と、左右の側板６と底板９とを連結するように設けた後板１０により構成したテーブル１１を設ける。
【００２３】
そして、このテーブル１１に、リール１２と、刈刃１３と前記オーガー８をを設け、テーブル１１の後部には搬送エレベーター１４の先端を取付け、搬送エレベーター１４の基部は脱穀装置３の脱穀室に接続する。
【００２４】
前記刈刃１３は、テーブル１１側の刈刃フレーム（図示省略）に固定状態に設けた下刃（図示省略）と左右に往復摺動する上刃（図示省略）により構成する。上刃の後面側には係合溝（図示省略）を設け、係合溝にはアーム２４（図７）の下端に設けたロッド２５の先端のローラ（図示省略）を係合させる。
【００２５】
アーム２４には前後方向の伝動軸２６の先端を着脱自在に取付ける。伝動軸２６の基部は変換機構（請求項における「伝動部」）２７に取付ける。変換機構２７はエンジンから伝達される一定方向回転を正逆往復回動運動に変換する（図１０）。
【００２６】
これにより、エンジンからの回転が変換機構２７で正逆回動に変換されて、伝動軸２６に伝達される。伝動軸２６はアーム２４の先端を左右往復移動させ、このアーム２４が上記の上刃を左右に往復摺動させる。
【００２７】
本願の刈取装置４は、稲麦刈と菜種刈とを兼用する構成である。前記テーブル１１は、前記オーガー８を有する後テーブル部（請求項における「後部フレーム」）２８と分草体２９を有する前テーブル部（請求項における「前部フレーム」）３０とに分割可能に構成されており、該前テーブル部３０を第１ユニット３１と第２ユニット３２の夫々に交換自在に構成されている。
【００２８】
そして、本願では、第１ユニット３１を稲麦刈用とし、第２ユニット３２を菜種刈として交換する構成としている。
前記前テーブル部３０として、第１ユニット（稲麦刈用ユニット）３１を刈取装置４に装着する場合、後テーブル部２８の底板９の前端に前記刈刃１３を設ける。一方、前記前テーブル部３０を、第２ユニット（菜種刈用ユニット）３２とした場合では刈刃１３を第２ユニット３２の延長底板（請求項における「第２底板」）９Ａの前端に取付けて、第２ユニット３２の延長底板９Ａの前後長さ分、稲麦刈の場合よりも前方に刈刃１３を位置させる。
【００２９】
これにより、稲麦の刈取作業ではリール１２で引き起こして掻き込んだ（梳いた）状態の穀稈を刈刃１３により切断することで、切断姿勢を良好にして切断性能を向上させることができる。一方、菜種の刈取作業では、穀稈の直径が太く株状になっているので、前方に配置した刈刃１３が切断した菜種穀稈をリール１２によりオーガー８に誘導することができ、刈取作業を円滑に行うことができる。
【００３０】
前テーブル部３０として、第２ユニット３２を刈取装置４に装着する場合、リール１２の左側には、刈取穀稈に絡む未刈り穀稈を分草するために、刈取穀稈と未刈り穀稈とを切断分草する分草用切断装置３５を設けることが好ましい。この分草用切断装置３５は、切断機用フレーム３６に切断刃３７を取付けて構成する。
【００３１】
そして、前記伝動軸２６の先端に別途アーム３８を設け、アーム３８と前記切断刃３７の駆動部３９との間にロッド４０を設ける。
分草用切断装置３５の切断機用フレーム３６には、支持フレーム４１の先端を取付け、支持フレーム４１の基部は後テーブル部２８の側板６の外面に着脱自在に取付ける。なお、支持フレーム４１は、図７では、切断機用フレーム３６と前後に重なっているので、理解を容易にするため、同一部材に異なる符号を付している。
【００３２】
この支持フレーム４１と側板６の間に前記伝動軸２６を配置する。このことにより、刈取装置４の左右幅が小さくなる。また、分草用切断装置３５は、刈刃１３に回転伝動する伝動軸２６から伝動を受けるので、構成が簡素になる。
【００３３】
また、前記第１ユニット３１と第２ユニット３２との交換に伴って、長短の伝動軸２６を用意し、この伝動軸２６を交換する。
伝動軸２６の基部のヨーク部４３は前後方向に分割組立自在に構成し（図１１）、ヨーク部４３の部分を分割して伝動軸２６を変換機構２７に対して着脱して交換する。このことにより、伝動軸２６の交換作業が容易になる。
【００３４】
即ち、伝動軸２６を分割することにより、第２ユニット３２から分草用切断装置３５を外さなくても、分草用切断装置３５が付いたままの状態で、第２ユニット３２をテーブル１１の後テーブル部２８から外せばよいので、第１ユニット３１と第２ユニット３２との交換作業が容易になる。
【００３５】
図１２は、伝動軸２６の他の実施例であり、伝動軸２６を前記ヨーク部４３とシャフト部４４とに分割組立自在に構成し、シャフト部４４をヨーク部４３に対して着脱して伝動軸２６を交換可能としたものである。
【００３６】
図１３は、伝動軸２６の他の実施例であり、伝動軸２６はヨーク部４３とシャフト部４４を有し、該シャフト部４４は前後方向の所定部分で分割し、前後に分割したシャフト部４４を接合部材（ジョイント部材）４５により接続可能としたものである。
【００３７】
すなわち、所定のシャフト部４４の部分を交換することにより伝動軸２６の長さを刈刃１３に位置に合わせて切り替えるものであり、この様な構成により、第１ユニット３１と第２ユニット３２との組み換えに必要な部品を減らせることができ、コストダウンできる。
【００３８】
この場合、稲麦刈の位置にある刈刃１３に対応する長さの伝動軸２６のシャフト部４４の先端に、接合部材４５を介して菜種刈用の位置にある刈刃１３に対応する長さの別途用意したシャフト部４４Ａを継ぎ足す構成でもよい（図１４）。
【００３９】
前記支持フレーム４１はリール１２の上下用シリンダ４７の支持部４８を通して固定する（図６）。
このことにより、刈取装置４の左右幅が小さくなり、前テーブル部３０が剛体であることで、支持フレーム４１の支持剛性も向上する。
【００４０】
また、分草用切断装置３５は、切断刃３７を上方に至るに従い外側に位置するように傾斜させてもよい（図１５）。切断刃３７を外側傾斜させると、切断刃３７の下部をリール１２に接近させることができるので、分草作用が向上する。
【００４１】
また、前記切断刃３７は、固定刃を挟んで設けられる一対の移動刃３７により構成することもできる（図１６）。
この構成によると、一対の移動刃３７が固定刃に対して互い違いに上下方向に摺動するので、切断性能が向上し、その結果、分草性能が向上する。
【００４２】
前記アーム３８は、左右方向に所定長さを有して形成し、アーム３８の左右中間部を伝動軸２６に取付ける（図１６）。即ち、左右の切断刃３７は一つのアーム３８により駆動する構成とする。アーム３８の左右両端にロッド４０を夫々設け、ロッド４０は左右の切断刃３７の各駆動部３９に接続する。
【００４３】
これにより、左右の切断刃３７の上下移動の周期が同期し、振動が減少する。
分草用切断装置３５とリール１２のリールアーム５１またはリールフレーム５１Ａとの間には内側ガイド５２を設ける（図７，図１５）。
【００４４】
これにより、分草用切断装置３５により分草した作物をリール１２に寄せることができ、リール１２による掻込性能が向上する。
また、内側ガイド５２は、平面視後方に至るに従い内側に位置するように傾斜させる。
【００４５】
また、前記切断機用フレーム３６と切断刃３７の外側には仕切板５３を設ける（図６）。
これにより、分草用切断装置３５で分草した未刈り状態の作物が、刈取穀稈に再度絡むことを防止する。
【００４６】
また、前記内側ガイド５２と仕切板５３は一つの部品により構成すると、構成が簡素になる。
前記内側ガイド５２は、前記リールアーム５１より下側に位置する部分をリールアーム５１より内側に突出させる（図７，図１５）。
【００４７】
これにより、内側ガイド５２によるテーブル１１の内側への誘導案内性能が向上する。
また、リールアーム５１より下側部分をリールアーム５１より内側に突出させて内側ガイド５２とし、リールアーム５１より上側部分をリールアーム５１より外側に位置させて仕切板５３とする。
【００４８】
即ち、リール１２は上下に昇降するので、リールアーム５１と干渉しない最下降位置のリールアーム５１より下方の内側ガイド５２はリールアーム５１より内側に突出させている。
【００４９】
図１８は、分草用切断装置３５の他の実施形態を示し、エンジンの動力が入力される入力プーリ５５に回転軸から偏心した位置にクランクロッドを設け、このクランクロッドにより切断刃３７を駆動する構成とし、切断刃３７の駆動部３９と、前記入力プーリー５５と、該入力プーリー５５に掛け回したベルトの側方にカバー５７を設けている。
【００５０】
これにより、分草用切断装置３５とリール１２の駆動部分の側方を一体のカバー５７により覆うことができ、未刈り稈が絡むことを防止する。
前記テーブル１１の側板６の先端に設けた分草体２９には、軸棒形状のガイド体６０を設け、ガイド体６０は後方に至るに従い上側で且つ外側に位置するように傾斜させ、前記カバー５７の前側部分にはガイド体６０と相対的に平面視において略同一傾斜の傾斜面部６１を設ける（図１７、理解を容易にするため、傾斜面部６１に斜線付しているが、これにより構成は限定されない）。
【００５１】
分草体２９により分草された未刈り稈は、ガイド体６０とカバー５７の傾斜面部６１により外側に案内されることにより、分草用切断装置３５とリール１２の駆動部分に未刈り稈が絡むことが防止される。
【００５２】
前記したように、テーブル１１は、後テーブル部２８に対して着脱自在の前テーブル部３０を、刈刃１３の取付位置の変更した第１ユニット３１と第２ユニット３２とに構成し、第１ユニット３１と第２ユニット３２の何れかを後テーブル部２８に取付ける。
【００５３】
前テーブル部３０の延長側板（請求項における「第２側板」）６Ａの後側上部には、後テーブル部２８の側板６の上面に上方から嵌合する係合部６５を、延長側板６Ａと一体で設ける。係合部６５は、断面が下向きに開放された「コ」の字形状の部材であり、前テーブル部３０の延長側板６Ａと後テーブル部２８の側板６との当接面より後方に突出している。この係合部６５を、後テーブル部２８の側板６の上面の後側係合部６５Ａに上方から嵌合させ、ボルト６６により固定する。
【００５４】
これにより、前テーブル部３０の係合部６５を後テーブル部２８の後側係合部６５Ａの上面にボルト６６により固定するので、係合部６５と後側係合部６５Ａの取付強度が向上し、前テーブル部３０と後テーブル部２８の組立が容易になる。
【００５５】
前記前テーブル部３０の延長側板６Ａの後端部には、側板６と交差方向に屈曲させた左右方向の当接平坦面（請求項における「端面」）６７Ｂを形成している。
また、後テーブル部２８の側板６の後端部には、同様に、側板６と交差方向に屈曲させた左右方向の当接平坦面（請求項における「端面」）６７Ａを形成している。
【００５６】
前テーブル部３０の当接平坦面６７Ｂと後テーブル部２８の当接平坦面６７Ａを前後に突合せて当接させ、両者をボルト６８により固定する。
このように、前テーブル部３０の延長側板６Ａの後側上部を、係合部６５により後テーブル部２８の上面に固定し、前テーブル部３０の延長側板６Ａの後縁の当接平坦面６７Ｂを後テーブル部２８の前縁の当接平坦面６７Ａに当接させるので、係合部６５と当接平坦面６７Ａ，６７Ｂの二カ所により前テーブル部３０の重量を支持することができ、支持強度が向上する。
【００５７】
なお、理解を容易にするため、固定用のボルト６６，６８を装着する部分に符号を付している。
前テーブル部３０の左右の延長側板６Ａの後側下部には、後方に突出して下部取付孔６９を有する下部取付部７０を夫々設ける。
【００５８】
また、前記前テーブル部３０として、第１ユニット３１を装着する場合、後テーブル部２８の底板９の前端に前記刈刃１３を設ける。一方、前記前テーブル部３０として第２ユニット３２を装着する場合、後テーブル部２８の前端部に延長底板９Ａを連結し、この延長底板９Ａの前端部に刈刃１３を取付ける。このように前テーブル部３０として第２ユニット３２を装着した場合、刈刃１３は、第１ユニット３１よりも延長底板９Ａの前後長さ分、前方に位置する。
【００５９】
このことにより、稲麦の刈取作業ではリール１２で引き起こして掻き込んだ（梳いた）状態で刈刃１３により穀稈を切断することで、切断姿勢が良好となって切断性能が向上し、一方、菜種の刈取作業では、延長底板９Ａの長さ分前方に位置する刈刃１３が穀稈の株元を切断しながら、この穀稈をリール１２が掻き込むので、リール１２の掻き込み抵抗を低減しながらテーブル１１内のオーガー８へ誘導することができ、刈取作業が円滑になる。
【００６０】
また、後テーブル部２８の底板９の前端には下部取付面７１を形成する。第１ユニット３１の場合、下部取付面７１に刈刃１３の刈刃フレーム（図示省略）を取付け、第２ユニット３２の場合、前テーブル部３０の延長底板９Ａの後端面および延長側板６Ａの下部を後テーブル部２８の底板９の下部取付面７１にボルト６８で固定する。
【００６１】
また、前テーブル部３０の後側上部を、係合部６５により後テーブル部２８の後側係合部６５Ａの上面に固定してから、前テーブル部３０の当接平坦面６７Ｂを後テーブル部２８の当接平坦面６７Ａに当接させてボルト６８により固定すればよいので、取付作業が容易になり、一人での前テーブル部３０と後テーブル部２８の交換作業を行える。
【００６２】
なお、図示は省略するが、前テーブル部３０の延長側板６Ａの係合部６５の取付孔に対応する部分の後テーブル部２８の後側係合部６５Ａには、前記取付孔に係合する係合ピンを設けてもよい。このようにすると、前テーブル部３０と後テーブル部２８の位置決めを容易にし、一層、組立作業を容易にする。
【００６３】
また、第２ユニット３２を後テーブル部２８に装着した場合には、刈取装置４のリール１２の左側の分草用切断装置３５の切断機用フレーム３６の下部は、前テーブル部３０の延長側板６Ａ側に取付け、切断機用フレーム３６の上部に先端を取付けた支持フレーム４１の下部は後テーブル部２８の側板６側に着脱自在に取付ける。
【００６４】
そのため、支持フレーム４１の基部を後テーブル部２８の側板６側から外すと、前テーブル部３０は分草用切断装置３５ごと後テーブル部２８から取り外すことができ、着脱を容易にする。
【００６５】
刈刃１３は、テーブル１１の側板６の開口部７２Ａより未刈り穀稈側の外側まで摺動する構成としてテーブル１１内の穀稈の刈り残しを防止する。このように刈刃１３は、側板６の外側に移動するが、この刈刃１３がテーブル１１の側板６の外側にある未刈り穀稈の切断することを刈刃ガード７２により防止する構成とする。
【００６６】
刈刃ガード７２は第１ユニット３１と第２ユニット３２の側板６に取付ける。
走行装置２のクローラ７３の前方の前記第２ユニット３２の延長底板９Ａの部位には、下方に突出するガイド体７４を設ける。
【００６７】
菜種刈りでは、切断して圃場に残った切断株が硬く、クローラ７３が切断株を踏むと損傷するおそれがあるので、クローラ７３の前方の第２ユニット３２の延長底板９Ａに、下方に突出するガイド体７４を設ける。
【００６８】
これにより、ガイド体７４が圃場に残った切断株を押しつぶすので、クローラ７３の損傷を防止する。
図２１は、リール１２のリールタイン７５に関するものであり、リールタイン７５を左右一対のタイン部７６の上部を連結部７７により連結し、連結部７７にリールタイン７５を取付けるスラットバー７８の後面に当接係合する係合部７９を設ける。
【００６９】
リールタイン７５は、タイン部７６をスラットバー７８の取付孔（図示省略）に挿通させ、連結部７７の上部をリールタイン７５の上面に当接させ、この状態でスラットバー７８の後面に係合部７９を弾力的に当接係合させる。
【００７０】
そのため、工具不要でリールタイン７５の取付を行え、リールタイン７５は連結部７７と係合部７９により支持されるので、強固に支持される。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００７１】
３      脱穀装置
４      刈取装置
６      側板（第１側板）
６Ａ    延長側板（第２側板）
８      オーガー
９      底板（第１底板）
９Ａ    延長底板（第２底板）
１０    後板
１２    リール
１３    刈刃
２６    伝動軸
２８    後テーブル部（後部フレーム）
２９    分草体
３０    前テーブル部（前部フレーム）
３１    第１ユニット
３２    第２ユニット
３５    分草用切断装置
４１    支持フレーム
６５    係合部
６７Ａ    当接平坦面（端面）
６７Ｂ    当接平坦面（端面）
７２    刈刃ガード
【図１】
2015107076.tif 000003
【図２】
2015107076.tif 000004
【図３】
2015107076.tif 000005
【図４】
2015107076.tif 000006
【図５】
2015107076.tif 000007
【図６】
2015107076.tif 000008
【図７】
2015107076.tif 000009
【図８】
2015107076.tif 000010
【図９】
2015107076.tif 000011
【図１０】
2015107076.tif 000012
【図１１】
2015107076.tif 000013
【図１２】
2015107076.tif 000014
【図１３】
2015107076.tif 000015
【図１４】
2015107076.tif 000016
【図１５】
2015107076.tif 000017
【図１６】
2015107076.tif 000018
【図１７】
2015107076.tif 000019
【図１８】
2015107076.tif 000020
【図１９】
2015107076.tif 000021
【図２０】
2015107076.tif 000022
【図２１】
2015107076.tif 000023